(57)【特許請求の範囲】
【請求項１】
前輪（９）と後輪（１１）を有する移動台車（１６）上にエンジン（３）、該エンジン（３）の駆動により駆動されるファン、及び、薬剤タンク（２）を載置した押動式動力散布機（１）において、ファンを収納したファンケース（４）の吐出部と薬剤タンク（２）下部の落下口とを導入パイプ（７）により連通し、該ファンケース（４）内のファンにより吐出される風は、該導入パイプ（７）を介して、前記薬剤タンク（２）の下部に送られ、該薬剤タンク（２）の落下口にはシャッターを介して、薬剤が所定量落下するように構成されており、該薬剤と、ファンより発生して導入パイプ（７）を介して送風された風が、吐出パイプ（１３）を介して、散布管（１４）に送風され、圃場に散布され、前記散布管（１４）は、左右方向に回転可能で、かつ、左右方向に傾倒可能な構造とし、前記導入パイプ（７）は中途部を、導入パイプ前部（７ａ）と導入パイプ後部（７ｂ）に分割構成し、該導入パイプ前部（７ａ）と導入パイプ後部（７ｂ）とは、止輪（４６）により該薬剤タンク（２）とファンケース（４）との間の継合を外して分離し、薬剤等の詰まり等を除去し、作業終了後に余った薬剤タンク（２）内の薬剤をシャッターを開けて取出可能としたことを特徴とする押動式散布機。
【請求項２】
請求項１記載の押動式散布機において、前記移動台車（１６）を構成するフレーム（８）より垂直方向に支持フレーム（８ｂ）を立設し、該支持フレーム（８ｂ）上にハンドル（５）を立設し、該ハンドル（５）を前後方向に回転して固定可能としたことを特徴とする押動式散布機。
【発明の詳細な説明】
【０００１】
【発明の属する技術分野】
本発明は、動力散布機を移動台車に搭載した押動式散布機の構造に関するものである。
【０００２】
【従来の技術】
従来、走行台車に背負い式動力散布機を乗せて、畦畔を押して行くもの（実開平０１−１２４２５８号）や、送風機のエンジンの動力を利用した自走式動力散布機（特開平８−２２４５１３号）などが知られている。自走式動力散布機は、送風機のエンジンの駆動力の一部が減速され、後輪を駆動する構成になっている。また、後輪への駆動の伝達はクラッチにより断接される構成になっており、薬剤タンクの下方に送風機が配設されている。また、原動機は送風機の上方に配設されている。
【０００３】
【発明が解決しようとする課題】
しかしながら、前記従来技術においては、送風機からの配管は、薬剤等を貯留する薬剤タンクの下方より接続されているため、配管部において薬剤等が逆流して詰まりを引き起こし、充分な送風が行うことができず、薬剤等の散布に支障をきたすことがあった。また、薬剤タンクから立設した散布管は固定されているため、一方向にしか吐出が行えず、薬剤等を圃場に充分に行き渡らせて散布するためには、押動式散布機自体を方向転換させる必要があった。また、前記押動式散布機の機体は、前後方向に長く、収納するためには、それなりのスペースを要した。
【０００４】
本発明は、前記の点を鑑み、押動式散布機のメンテナンス性および操作性を向上させ、またコンパクトに収納できる押動式散布機を提供することを課題とする。
【０００５】
【課題を解決するための手段】
以上が本発明の解決する課題であり、次に課題を解決するための手段を説明する。
請求項１においては、前輪（９）と後輪（１１）を有する移動台車（１６）上にエンジン（３）、該エンジン（３）の駆動により駆動されるファン、及び、薬剤タンク（２）を載置した押動式動力散布機（１）において、ファンを収納したファンケース（４）の吐出部と薬剤タンク（２）下部の落下口とを導入パイプ（７）により連通し、該ファンケース（４）内のファンにより吐出される風は、該導入パイプ（７）を介して、前記薬剤タンク（２）の下部に送られ、該薬剤タンク（２）の落下口にはシャッターを介して、薬剤が所定量落下するように構成されており、該薬剤と、ファンより発生して導入パイプ（７）を介して送風された風が、吐出パイプ（１３）を介して、散布管（１４）に送風され、圃場に散布され、前記散布管（１４）は、左右方向に回転可能で、かつ、左右方向に傾倒可能な構造とし、前記導入パイプ（７）は中途部を、導入パイプ前部（７ａ）と導入パイプ後部（７ｂ）に分割構成し、該導入パイプ前部（７ａ）と導入パイプ後部（７ｂ）とは、止輪（４６）により該薬剤タンク（２）とファンケース（４）との間の継合を外して分離し、薬剤等の詰まり等を除去し、作業終了後に余った薬剤タンク（２）内の薬剤をシャッターを開けて取出可能としたものである。
請求項２においては、請求項１記載の押動式散布機において、前記移動台車（１６）を構成するフレーム（８）より垂直方向に支持フレーム（８ｂ）を立設し、該支持フレーム（８ｂ）上にハンドル（５）を立設し、該ハンドル（５）を前後方向に回転して固定可能としたものである。
【０００６】
【発明の実施の形態】
以下に本発明の実施形態を図面を用いて詳細に説明する。図１は押動式動力散布機の全体構成を示す左側面図、図２は同じく右側面図、図３は同じく平面図、図４は同じく後面図、図５は操向ハンドルの構造を示す押動式動力散布機の左側面図、図６は同じく平面図、図７は薬剤タンクへの導入パイプの構造を示す押動式動力散布機の平面図、図８は散布管の構造を示す押動式動力散布機の平面図、図９は同じく後面図、図１０は押動式動力散布機の前部側面図、図１１は押動式動力散布機の前部前面図、図１２は押動式動力散布機の前部平面断面図である。
【０００７】
図１乃至図４において、押動式動力散布機１の全体構成について説明する。押動式動力散布機１は、移動台車１６および動力散布装置１７により構成される。動力散布装置１７は移動台車１６のフレーム上に固設されている。移動台車１６にはハンドル５・５が接続されており、該移動台車１６の下部には前輪９および後輪１１が配設されている。作業者はハンドル５・５により、移動台車１６の押し引きおよび方向転換を行うものである。操向可能な移動台車１６上に動力散布装置１７を配設するので、該動力散布装置１７を作動させ、薬剤もしくは肥料を散布しながら、移動することができる。移動台車１６の前部には駆動部２１が構成されており、該駆動部２１により前輪９を駆動できる構成になっている。そして、移動台車１６の前下部には、ガイドローラ装置２２が配設されている。ガイドローラ装置２２は移動台車１６の後部に配設されたガイドローラ操作レバー２３により上下に回動操作できる構成になっている。
【０００８】
移動台車１６の構成について説明する。移動台車１６は、フレーム８、前輪９および後輪１１ａ・１１ｂにより構成されている。フレーム８は、一本のパイプを平面視Ｕ字状に成形し、構成されており、前部は上方に向けられ、中央部および後部は水平に構成されている。フレーム８の後部には支持フレーム８ｂ・８ｂが垂直方向に立設されており、該支持フレーム８ｂ・８ｂとフレーム８に動力散布機１７が固設されている。フレーム８の中央部および支持フレーム８ｂ・８ｂにはカバー８ａが固設されており、フレーム８の剛性が向上するとともに、動力散布機１７を保護する構成になっている。カバー８ａとフレーム８の前部はステー８ｃにより接続されており、薬剤タンク２の導入管７との接続部を保護する構成になっている。支持フレーム８ｂ・８ｂの上部には、ハンドル５・５の基部が接続される構成になっている。ハンドル５・５は基部を支持フレーム８ｂ・８ｂの上部に挿入し、固定ボルト４９・４９を螺装し該ハンドル５・５を固設するものである。
【０００９】
また、作業を終え、押動式動力散布機１を倉庫等に収納するときには、左右支持フレーム８ｂ・８ｂに螺合した前記固定ボルト４９・４９各々を緩めると、ハンドル５・５は支持フレーム８ｂ・８ｂを支点として、回転自在となり、図５および図６に示すように、該ハンドル５・５を薬剤タンク２の上方に来るようにして機体前方向に回転させ、該押動式動力散布機１全体をコンパクトにまとめて収納することができ、出荷時等の梱包も小さくでき、輸送にかかるコストを低減できるのである。また、前記ハンドル５・５は、左右ハンドルを独立して回転自在としているため、収納スペースに合わせて、ハンドル５・５の回転角度を左右別々に調整するとよい。
【００１０】
また、図１０、図１１に示すように、前記移動台車１６の前輪９は駆動部２１に接続されたチェンケース３１およびフレーム８の前部に固設されたステー３２により支持されている。図４に示すように、後輪１１ａ・１１ｂはフレーム８の後部に接続された支持アーム３３の下端間に配設されている。支持アーム３３は後面視逆Ｕ字状に構成されており、該下端間には枢軸が配設されている。支持アーム３３の下端間に配設された枢軸には後輪１１ａ・１１ｂが挿嵌され、回動自在に枢支されている。該後輪１１ａ・１１ｂ間にはカラー１１ｃが配設されており、該カラー１１ｃにより後輪１１ａ・１１ｂの間隔が設定されている。
【００１１】
次に、動力散布機１７の構成について説明する。図２および図３に示すように、動力散布機１７はファンケース４、エンジン３、薬剤タンク２、散布管１４により構成されている。該動力散布機１７は前記移動台車１６の後部に配設されており、前方より、薬剤タンク２、散布管１４、ファンケース４、エンジン３、燃料タンク２４の順に配置されている。ファンケース４内には図示しないファンが内装されている。該ファンケース４の後部にはエンジン３が接続されており、該エンジン３により前記ファンが駆動される。薬剤タンク２とファンケース４の吐出部には、合成樹脂など可撓性の材質でできた導入パイプ７が接続されている。ファンにより発生した風は、導入パイプ７を介して、薬剤タンク２の下部に送られ、該薬剤タンク２の下部にはシャッターを介して薬剤が所定量落下するようにしており、該薬剤とファンより発生した風が吐出パイプ１３を介して、散布管１４に送られ圃場に散布される。
【００１２】
また、図７に示すように、前記導入パイプ７は、導入パイプ前部７ａと導入パイプ後部７ｂに分割して構成され、該導入パイプ前部７ａと導入パイプ後部７ｂとは、ファンケース４と薬剤タンク２との間の中途部において、接合可能であり止輪４６によって固定できる。前記止輪４６は、蝶ネジ４７で締めつける、該蝶ネジ４７を緩めることによって止輪４６を外し、導入パイプ前部７ａと導入パイプ後部７ｂとの継合を外し、分離することができるのである。このように導入パイプ７を分離して、薬剤等の詰まり等を除去することができ、メンテナンス性の向上を図り、また、作業終了後に余った薬剤タンク２内の薬剤をシャッターを開けて容易に取り出すこともできるようにしている。
【００１３】
また、前記散布管１４の向きは任意の方向に向けて固定することができる。すなわち、図８に示すように、散布管１４は略Ｌ字状に構成されて、前記薬剤タンク２の下部に連通される導入パイプ７を更にファンケース４と薬剤タンク２の間の空間より（薬剤タンク２の後部）上方向に延出した吐出口１３に、前記散布管基部１４ａが左右回動自在に嵌合されている。そして、該散布管基部１４ａの外周に角度調節固定ネジ５０を設けて吐出方向の位置決め後に固定できるようにしている。該角度調節固定ネジ５０を緩めると、散布管１４を左右方向に回転できる。
【００１４】
また、図３および図９に示すように、導入パイプ７から上方向に延出した吐出口は可撓性のパイプにより構成され、一方、ファンケース４の上面には薄板状のガイド板５２が上方に左右方向に突設され、該ガイド板５２の上部には、円弧状のガイド孔５２ａを開口し、吐出口から突出したネジをガイド孔５２ａに挿入してノブ５１で締付固定できるようにしている。このようにして、ノブ５１を緩めて、ガイド孔５２ａに沿って散布管１４を所望の位置に左右回動して、所望の角度に位置決めした後に再びノブ５１を締付固定すればよい。また、前記ハンドル５・５の左側にはアクセルレバー５ａが配設されており、該アクセルレバー５ａによりエンジン３の出力（回転数）を調節するものである。
【００１５】
次に、駆動部２１の構成について、図１０、図１１および図１２を用いて説明する。駆動部２１はフレーム８の前部に固設されたパイプフレーム２１ｂ上に配設されている。駆動部２１の配設位置は前輪９上方でもあり、駆動部２１により該前輪９を駆動するものである。駆動部２１はバッテリ１２の電力によりモータ１０を駆動し、該モータ１０の駆動力を減速機１０ｂを介してチェンケース３１に内装されるチェン３１ｂにより前輪９に伝達するものである。前輪９はチェンケース３１およびステー３２により支持されている。チェンケース３１は断面積が大きく取れるため、高い支持剛性を得ることができる。チェンケースと前輪支持部材を１つのチェンケース３１により構成するため、部品点数を減少できる。
【００１６】
本実施例において、前輪９はワンウェイクラッチ機構を介して駆動されるものである。ワンウェイクラッチの配設位置としては、前述の減速機１０ｂもしくは前輪９のハブ部分に配設することができる。これにより、モータ１０の駆動力を押動式動力散布機１を押動する際のアシスト的な駆動力として使用することができる。モータ１０の駆動力がアシスト的に使用されるため、消費電力を減少できる。モータ１０の駆動力による、押動式動力散布機１の走行のアシストは、モータ１０の出力を制御するコントローラにより調節できる。前輪９の走破性を向上させるため、前輪９の径を大きくすると、前輪９のモーメントが大きくなり、前輪９が転がりにくくなるが、該前輪９はモータ１０により、アシストされるため、前輪９の大径化に伴うモーメントの増大を解消し、走破性を向上させながら操作性を向上できる。これにより、押動式動力散布機１を走行させる際の労力を軽減で切るとともに、該押動式動力散布機１の操作性も向上できる。更に、前輪９が駆動されるため、悪路の走破性向上し、溝、ぬかるみ、道路と田の坂道などにおける作業者の負担を軽減する。
【００１７】
上記の構成においてバッテリ１２は前輪９の中心より前方に配設されており、モータ１０は前輪９の中心直上に配設されている。これにより、バッテリ１２の荷重を前輪９に十分にかけ、前輪９の接地性を確保することができる。駆動部２１を固設するステー２１ｂは前方に張り出した構成になっており、ステー２１ｂにより駆動部の前部が保護される。駆動部２１にはカバー２１ｃが装着されており、該カバー２１ｃにより、バッテリ１２およびモータ１０を雨水、塵埃より保護するものである。
【００１８】
駆動部２１は前記ハンドル５・５により制御される。前記ハンドル５・５には、図３および図４に示すごとく、モータ１０の駆動力（回転数）を調節するコントロールスイッチ６が配設されている。該コントロールスイッチ６は作業者が、ハンドル５・５を持った際に手元に位置するように配設されている。さらに、コントロールスイッチ６においては、モータ１０の駆動の入・切または連続的な駆動力の調節を行える構成になっており、作業者は手元でモータ１０の駆動制御を行える構成になっている。回転数制御としてはモータ１０に供給する電圧を調節することにより行える。これにより、押動式動力散布機１の操作性を向上できるとともに、作業者に応じた駆動力調整をでき、電力の消費を低減できる。コントロールスイッチ６によるモータ１０の駆動力調節方法は特に限定されるものではなく、モータ１０の駆動力を調節可能であればよい。可変抵抗によりモータ１０にかかる電圧を調節したり、位相制御したり、パルス幅制御したりすることによっても可能であり、一般的にモータの駆動力を調節するものであればよい。
【００１９】
次に、押動式動力散布機１のレイアウトについて説明する。図１および図１０に示すように、押動式動力散布機１は、前輪９の上方にバッテリ１２およびモータ１０により構成される駆動部２１を配設し、中央部に薬剤タンク２を配設し、後部にエンジン３を配設している。使用状況下においては、バッテリ１２、薬剤タンク２およびエンジン３は押動式動力散布機１の重量の大部分を占めるものである。これら、バッテリ１２、薬剤タンク２およびエンジン３が、それぞれ押動式動力散布機１の前部、中央部、後部に配設されるため、該押動式動力散布機１の重量バランスを良くできる。薬剤タンク２は前輪９の中心を通る垂直線に対してバッテリの反対側に、後輪１１ａの中心を通る垂直線に対してエンジンの反対側に位置する。このため、バッテリ１２およびエンジン３は薬剤タンク２のカウンタウェイトとなり、フレーム８の一部に過大な荷重がかかるのを防ぐものである。すなわち、前輪９の中心より上前方にバッテリ１２を配設し、後輪１１ａ後方にエンジン３を配設するため、フレーム８の一部にかかる過大な荷重を解消できる。これにより、フレーム８の耐久性を向上でき、押動式動力散布機１の耐久性を向上できる。そして、押動式動力散布機１の重量バランスを良くできるため、操作性が向上する。
【００２０】
図２に示すように、薬剤タンク２は、拘束具により下部を導入パイプ７に接続する構成になっている。動力散布装置１７の薬剤タンク２は押動式動力散布機１より取り外し可能に構成されている。薬剤タンク２の前方に配設されている駆動部２１は薬剤タンク２の上部より低い位置に構成されており、接続部７ｃの側方はカバー８ａにより被装されていない。これにより、薬剤タンク２の取り外しが容易に行える。押動式動力散布機１の前方より、薬剤タンク２を取り外す際にも、駆動部２１が低い位置に配設されているため、邪魔にならない。
【００２１】
図１に示すように、散布管１４は薬剤タンク２とエンジン３の間に位置し、支持フレーム８ｂ・８ｂ近傍に位置するものである。図８および図９に示すように、散布管１４には薬剤の吐出方向を上下左右方向に調節する機構が配設されており、散布管１４の側方には薬剤（または肥料）８０の散布量を調節する調節レバー３５が配設されている。調節レバー３５はファンケース４より高い位置に配設されている。散布管１４は薬剤タンク２よりハンドル５・５側に配設されており、エンジン３およびファンケース４は散布管１４より低い位置に配設されるため、作業者が散布管１４の位置調節を行う際に障害物がなく、容易に調節を行うことができる。
【００２２】
【発明の効果】
本発明は以上の如く構成したので、次のような効果を奏するものである。
請求項１に記載のごとく、前輪（９）と後輪（１１）を有する移動台車（１６）上にエンジン（３）、該エンジン（３）の駆動により駆動されるファン、及び、薬剤タンク（２）を載置した押動式動力散布機（１）において、ファンを収納したファンケース（４）の吐出部と薬剤タンク（２）下部の落下口とを導入パイプ（７）により連通し、該ファンケース（４）内のファンにより吐出される風は、該導入パイプ（７）を介して、前記薬剤タンク（２）の下部に送られ、該薬剤タンク（２）の落下口にはシャッターを介して、薬剤が所定量落下するように構成されており、該薬剤と、ファンより発生して導入パイプ（７）を介して送風された風が、吐出パイプ（１３）を介して、散布管（１４）に送風され、圃場に散布され、前記散布管（１４）は、左右方向に回転可能で、かつ、左右方向に傾倒可能な構造とし、前記導入パイプ（７）は中途部を、導入パイプ前部（７ａ）と導入パイプ後部（７ｂ）に分割構成し、該導入パイプ前部（７ａ）と導入パイプ後部（７ｂ）とは、止輪（４６）により該薬剤タンク（２）とファンケース（４）との間の継合を外して分離し、薬剤等の詰まり等を除去し、作業終了後に余った薬剤タンク（２）内の薬剤をシャッターを開けて取出可能としたので、ファンケースからのパイプは薬剤タンクの下方より接続されているため、配管部において薬剤等が逆流して詰まりを引き起こす可能性があり、配管部が詰まった時などには該パイプ中途部を分離して、詰まりを取り除くことができる。
また、このような構成とすることにより、配管内の清掃等、容易に行なうことができメンテナンス性が向上する。また、分離して薬剤タンク内に残った薬剤を容易に取り出すこともできる。
【００２３】
また、ファンを収納したファンケースの吐出口に連通する散布管を左右方向に回転可能な構造とすることにより、押動式散布機自体を方向転換させることなく、同じ方向を向いたまま左右に散布方向を変更することができる。
また、水平方向で所望の方向に散布管を向けることができ、ムラなく散布することが可能となる。
【００２４】
また、散布距離及び範囲を変更できるようになり、前述の散布管の左右方向の回転と合わせて、薬剤を所望の範囲に散布できるようになり、圃場の隅々まで行き渡らせて散布することができる。
【００２５】
請求項２に記載のごとく、請求項１記載の押動式散布機において、前記移動台車（１６）を構成するフレーム（８）より垂直方向に支持フレーム（８ｂ）を立設し、該支持フレーム（８ｂ）上にハンドル（５）を立設し、該ハンドル（５）を前後方向に回転して固定可能としたので、押動式散布機を倉庫等に収納したり、出荷時に梱包したりするときには、左右ハンドル支持部に螺合した各々の固定ボルトを緩めて、該ハンドルを薬剤タンクの上方に来るように機体前方向に回転させて、該押動式散布機全体をコンパクトに収納することができ、保管スペースを減少することができる。
【図面の簡単な説明】
【図１】  押動式動力散布機の全体構成を示す左側面図である。
【図２】  同じく右側面図である。
【図３】  同じく平面図である。
【図４】  同じく後面図である。
【図５】  操向ハンドルの構造を示す押動式動力散布機の左側面図である。
【図６】  同じく平面図である。
【図７】  薬剤タンクへの導入パイプの構造を示す押動式動力散布機の平面図である。
【図８】  散布管の構造を示す押動式動力散布機の平面図である。
【図９】  同じく後面図である。
【図１０】  押動式動力散布機の前部側面図である。
【図１１】  押動式動力散布機の前部前面図である。
【図１２】  押動式動力散布機の前部平面断面図である。
【符号の説明】
１  押動式動力散布機
２  薬剤タンク
３  エンジン
４  ファンケース
５  ハンドル
７  導入パイプ
７ａ  導入パイプ前部
７ｂ  導入パイプ後部
８  フレーム
８ｂ  支持フレーム
１４  散布管
４６  止輪
４７  蝶ネジ
４９  固定ボルト
５０  角度調節ネジ
５１  位置調節ネジ
５２  ガイド板
５２ａ  ガイド孔
【図１】
0004431222.tif 000002
【図２】
0004431222.tif 000003
【図３】
0004431222.tif 000004
【図４】
0004431222.tif 000005
【図５】
0004431222.tif 000006
【図６】
0004431222.tif 000007
【図７】
0004431222.tif 000008
【図８】
0004431222.tif 000009
【図９】
0004431222.tif 000010
【図１０】
0004431222.tif 000011
【図１１】
0004431222.tif 000012
【図１２】
0004431222.tif 000013